(57)【特許請求の範囲】
【請求項１】
透明な画素電極を有する透明な素子基板と、
前記画素電極に対応する透明な共通電極を有する透明な対向基板と、
前記素子基板と前記対向基板との間に扶持された電気泳動表示層と、
前記電気泳動表示装置の上側を向いている面、及び前記電気泳動表示装置の回転を検出する加速度センサと、
前記加速度センサからの信号に基づき、前記電気泳動表示層の表示面として、前記素子基板と前記対向基板のどちらかの基板を選択し、前記電気泳動表示装置の回転方向によって表示データを選択する選択手段と、を備えることを特徴とする電気泳動表示装置。
【請求項２】
前記表示面は、初期表示面として前記対向基板が選択されている請求項１に記載の電気泳動表示装置。
【請求項３】
複数の順序付けられた表示データを保持し、
前記表示面が前記表示面と平行した回転軸において時計回りに回転して前記選択手段により前記表示面が切替ったときは、前記表示面が切替る前に表示していた前記表示データの次に順序付けられた表示データが表示され、
前記表示面が前記表示面と平行した回転軸において反時計回りに回転して前記選択手段により前記表示面が切替ったときに、前記表示面が切替る前に表示していた前記表示データの前に順序付けられた表示データが表示される、請求項１または２に記載の電気泳動表示装置。
【請求項４】
前記素子基板の光透過率と前記対向基板の光透過率が同じである、請求項１乃至３のいずれかに記載の電気泳動表示装置。
【請求項５】
透明な画素電極を有する透明な素子基板と、
前記画素電極に対応する透明な共通電極を有する透明な対向基板と、
前記素子基板と前記対向基板との間に扶持された電気泳動表示層と、
前記電気泳動表示装置の上側を向いている面、及び前記電気泳動表示装置の回転を検出する加速度センサと、を備える電気泳動表示装置の駆動方法であって、
前記加速度センサからの信号に基づき、前記電気泳動表示層の表示面として、前記素子基板と前記対向基板のどちらかの基板を選択し、前記電気泳動表示装置の回転方向によって表示データを選択することを特徴とする電気泳動表示装置の駆動方法。
【請求項６】
予め前記対向基板に表示する第１の表示データを保持しておき、
前記対向基板が前記表示面として選択された場合は、前記第１の表示データを前記表示データとし、
前記素子基板が前記表示面として選択された場合は、前記第１の表示データを前記素子基板に表示するための第２の表示データに変換をして前記表示データとする、請求項５に記載の電気泳動表示装置の駆動方法。
【請求項７】
前記対向基板を前記表示面とする場合の第３の表示データと、
前記素子基板を前記表示面とする場合の第４の表示データと、を予め用意しておき、
前記選択手段により選択された前記表示面に対応した前記第３のデータまたは前記第４のデータのいずれかを選択して前記表示データとする、請求項５に記載の電気泳動表示装置の駆動方法。
【請求項８】
予め保持している前記表示データは、前記対向基板または前記素子基板のいずれかに表示する第５の表示データであり、
前記第５の表示データは、いずれかの基板を表示面とする前記表示データであるかを示すタグを有し、
前記選択手段により選択された前記表示面が前記タグが示す表示面であるときは、前記第５の表示データを前記表示データとし、
前記選択手段により選択された前記表示面が前記タグが示す表示面でないときは、前記表示面に表示するための第６の表示データに変換をして前記表示データとする、請求項５に記載の電気泳動表示装置の駆動方法。
【請求項９】
前記表示データは、前記対向基板を表示面とする場合と、前記素子基板を表示面とする場合とで同じデータを用い、
前記選択手段により選択された前記表示面により前記画素電極の順番を変えて駆動する、請求項５に記載の電気泳動表示装置の駆動方法。
【請求項１０】
複数の順序付けられた前記表示データを保持し、
前記表示面が前記表示面と平行した回転軸において時計回りに回転して前記表示面が切替ったときは、前記表示面が切替る前に表示していた前記表示データの次に順序付けられた表示データが表示され、
前記表示面が前記表示面と平行した回転軸において反時計回りに回転して前記選択手段により前記表示面が切替ったときに、前記表示面が切替る前に表示していた前記表示データの前に順序付けられた表示データが表示される、請求項５乃至９のいずれかに記載の電気泳動表示装置の駆動方法。
【発明の詳細な説明】
【技術分野】
【０００１】
本発明は、電気泳動表示装置の駆動方法、及び、電気泳動表示装置に関する。
【背景技術】
【０００２】
近年、電子ペーパなどのフレキシブル性を有する表示デバイスとして、フレキシブルな構造の非発光型の表示デバイスが用いられるようになってきている。このような非発光型の表示デバイスの一つとして、電気泳動現象を利用した電気泳動表示装置がある。ここで、電気泳動現象とは、例えば、液体中（分散媒）に微粒子（電気泳動粒子）を分散させた分散系に、電界を印加したときに微粒子がクーロン力により泳動する現象である。
【０００３】
そして、フレキシブル性を有する電気泳動表示装置には、薄膜トランジスタとしてもフレキシブル性を有する有機薄膜トランジスタ（有機ＴＦＴ）が用いられることが多い。すなわち、有機ＴＦＴを画素用トランジスタに用いた、例えばアクティブマトリックス形式の回路によって、電気泳動表示装置が構成されることとなる。
【０００４】
そこで、電気泳動表示装置を、アクティブマトリクス形式の回路で構成する方法が提案されている（特許文献１）。特許文献１は、素子基板と対向基板との間に電気泳動粒子を分散させた分散系を有する電気泳動表示パネルにおいて、素子基板には、画素電極、走査線、データ線、及び画素用ＴＦＴが形成され、対向基板には、共通電極が形成されている。また、素子基板に画素用ＴＦＴを形成する工程と共通の工程において、走査線駆動回路及びデータ線駆動回路を構成するＴＦＴも形成することにより、製造コストの安価なアクティブマトリクス形式の電気泳動表示装置を製造するようにしている。
【０００５】
ところが、紙であれば紙の表裏両面を利用可能であったが、電気泳動表示装置の場合は、表面のみを表示に用いることが一般的であった。
そこで、表裏両面に画像等を表示する電気泳動表示装置が提案されている（特許文献２）。特許文献２は、表示装置の正面には、共通駆動電極層を有する共通基板と、接地側電極である第１対向電極層を有する第１表示基板との間に帯電粒子を有する第１表示部が設けられる。また、画像表示装置の背面には、表面と共用する共通基板と、接地側電極である第２対向電極層を有する第２表示基板との間に帯電粒子を有する第２表示部が設けられる。そして、第１又は第２対向電極層を電気的に切り換えることで、第１又は第２表示部のいずれかにのみ電界を生じさせて、第１及び第２表示部にそれぞれ個別の画像等を表示することで、電気泳動表示装置の表裏両面に画像等を表示することができるようにしていた。
【０００６】
【特許文献１】特開２００２−１６９１９０号公報
【特許文献２】特開２００５−３２１７３２号公報
【発明の開示】
【発明が解決しようとする課題】
【０００７】
しかし、特許文献２は、共通駆動電極層を第１及び第２表示部で共有することで表裏両面表示を実現していたが、対向電極及び電気泳動表示層がそれぞれの表示部ごとに必要であり、薄い電気泳動表示装置を構成することや、製造コストを削減することが難しかった。
【０００８】
本発明は、上記問題を解決するためになされたものであり、表裏両面に画像等の表示をすることが可能な薄くて安価な電気泳動表示装置の駆動方法、及び、電気泳動表示装置を提供することを目的の一つとする。また、表裏両面表示が可能な薄型の電気泳動表示装置を提供することを目的の一つとする。
【課題を解決するための手段】
【０００９】
上記の課題を解決するために、本発明のひとつの電気泳動表示装置は、透明な画素電極を有する透明な素子基板と、前記画素電極に対応する透明な共通電極を有する透明な対向基板と、前記素子基板と前記対向基板との間に扶持された電気泳動表示層と、前記電気泳動表示層の表示面として、前記素子基板と前記対向基板のどちらかの基板を選択する選択手段と、を含む。
【００１０】
前記画素電極、前記素子基板、前記共通電極及び前記対向基板が透明であることから、選択手段の選択により、前記素子基板を表示面とした場合、前記対向基板を表示面とした場合のいずれの場合でもひとつの電気泳動表示層で表示を行うことができる。
【００１１】
上記の本発明のひとつの電気泳動表示装置において、前記選択手段は、前記電気泳動表示装置の上側を向いている面を検出するセンサからの信号に基づき、前記上側を向いている面を前記表示面として選択することが好ましい。
【００１２】
これにより、机上等で使用する場合において、前記表示面が前記素子基板か前記対向基板かを自動的に知ることができる。
また、上記の本発明のひとつの電気泳動表示装置において、前記選択手段は、前記電気泳動表示装置の表示する側を指定するスイッチからの信号に基づき、前記表示面を選択するようにすることが好ましい。
【００１３】
これにより、机上等以外で使用する場合において、前記表示面を使用者の求める側に設定することができる。
また、上記の本発明のひとつの電気泳動表示装置において、前記表示面は、初期表示面として前記対向基板が選択されていることが好ましい。
【００１４】
前記表示面が異なれば、前記表示データを前記表示面に適したものに変換する場合が発生することが考えられるが、前記初期表示面を規定しておくことにより、基準とする前記表示データを設定することができる。一般的な電気泳動表示装置では対向電極の存在する側を表示側とすることが多いことから、上記の本発明のひとつの電気泳動表示装置へのデータの移植が容易になる。
【００１５】
また、上記の本発明のひとつの電気泳動表示装置において、複数の順序付けられた表示データを保持し、前記表示面が前記表示面と平行した回転軸において時計回りに回転して前記選択手段により前記表示面が切替ったときは、前記表示面が切替る前に表示していた前記表示データの次に順序付けられた表示データが表示され、前記表示面が前記表示面と平行した回転軸において反時計回りに回転して前記選択手段により前記表示面が切替ったときに、前記表示面が切替る前に表示していた前記表示データの前に順序付けられた表示データが表示されることが好ましい。
【００１６】
上記の課題を解決するために、本発明のひとつの電気泳動表示装置の駆動方法は、透明な画素電極を有する透明な素子基板と、前記画素電極に対応する透明な共通電極を有する透明な対向基板と、前記素子基板と前記対向基板との間に扶持された電気泳動表示層と、前記電気泳動表示層の表示面として、前記素子基板と前記対向基板のどちらかの基板を選択する選択手段と、を含み、前記選択手段により選択された前記表示面に適した表示となるように前記電気泳動表示層に表示データを駆動することを特徴とする。
【００１７】
上記の本発明のひとつの電気泳動表示装置の駆動方法におけるひとつの方法として、予め前記対向基板に表示する第１の表示データを保持しておき、前記対向基板が前記表示面として選択された場合は、前記第１の表示データを前記表示データとし、前記素子基板が前記表示面として選択された場合は、前記第１の表示データを前記素子基板に表示するための第２の表示データに変換をして前記表示データとすることが好ましい。
【００１８】
これにより、他の電気泳動表示装置で用いているデータの移植が容易になる。
また、上記の本発明のひとつの電気泳動表示装置の駆動方法における他のひとつの方法として、前記対向基板を前記表示面とする場合の第３の表示データと、前記素子基板を前記表示面とする場合の第４の表示データと、を予め用意しておき、前記選択手段により選択された前記表示面に対応した前記第３のデータまたは前記第４のデータのいずれかを選択して前記表示データとすることが好ましい。
【００１９】
また、上記の本発明のひとつの電気泳動表示装置の駆動方法における他のひとつの方法として、予め保持している前記表示データは、前記対向基板または前記素子基板のいずれかに表示する第５の表示データであり、前記第５の表示データは、いずれかの基板を表示面とする前記表示データであるかを示すタグを有し、前記選択手段により選択された前記表示面が前記タグが示す表示面であるときは、前記第５の表示データを前記表示データとし、前記選択手段により選択された前記表示面が前記タグが示す表示面でないときは、前記表示面に表示するための第６の表示データに変換をして前記表示データとすることが好ましい。
【００２０】
あるいは、上記の本発明のひとつの電気泳動表示装置の駆動方法において、前記表示データは、前記対向基板を表示面とする場合と、前記素子基板を表示面とする場合とで同じデータを用い、前記選択手段により選択された前記表示面により前記画素電極の順番を変えて駆動することが好ましい。
【００２１】
これによりデータ変換を行う必要を無くすことができる。
上記の本発明のひとつの電気泳動表示装置の駆動方法において、複数の順序付けられた前記表示データを保持し、前記表示面が前記表示面と平行した回転軸において時計回りに回転して前記選択手段により前記表示面が切替ったときは、前記表示面が切替る前に表示していた前記表示データの次に順序付けられた表示データが駆動され、前記表示面が前記表示面と平行した回転軸において反時計回りに回転して前記選択手段により前記表示面が切替ったときに、前記表示面が切替る前に表示していた前記表示データの前に順序付けられた表示データが駆動されることが好ましい。
【００２２】
本発明の電気泳動表示装置及び電気泳動表示装置の駆動方法によれば、すなわち、薄くて安価な電気泳動表示装置の表裏両面に好適に画像等の表示をすることができる電気泳動表示装置の駆動方法を提供することができる。
【００２３】
本発明の電気泳動表示装置及び電気泳動表示装置の駆動方法は、前記センサの検出に基づいて前記表示面が切り替わったことを判定したら、前記表示データは他の表示データに変更されることが好適である。
【００２４】
本発明の電気泳動表示装置及び電気泳動表示装置の駆動方法によれば、「表示面」が切り替わった場合に表示データを変更する。従って、センサに基づいて判定される電気泳動表示装置の「表示面」の切り替わりによって、「表示面」に表示される画像が変更されるので、紙をめくるような操作で電気泳動表示装置の画像を変更することができる。その結果、電気泳動表示装置の電子ペーパや電子ブック等としての用途を広げることができる。
【００２５】
本発明の電気泳動表示装置は、前記表示データは、前記表示面が前記予め定められ基板側ではない場合には、前記表示面用に左右及び色を反転された表示データに変換されることが好適である。
【００２６】
この電気泳動表示装置によれば、前記表示データは「表示面」が予め定められた基板側ではない場合には、表示データの左右及び色を反転して表示データとする。従って、そのままの表示データでは好適な画像が表示されない予め定められた基板側ではない基板側にも、変換された表示データにより好適な画像を表示することができる。その結果、電気泳動表示装置の電子ペーパや電子ブック等としての用途を広げることができる。
【００２７】
本発明の電気泳動表示装置は、素子基板と対向基板の光透過率が同じであるとよい。
この電気泳動表示装置によれば、素子基板と対向基板の光透過率が同じであるので、どちらの基板側が「表示面」と判定されて画像が表示されても、同様の光透過率の下で画像が表示される。従って、画像が表示されたのが素子基板側か対向基板側であるかによる、画像の違い、例えば濃淡などの違いを少なくすることができる。
【００２８】
本発明の電気泳動表示装置に用いる前記センサは、例えば加速度センサであってもよい。
加速度センサによって電気泳動表示装置の回転方向が「時計回り」であるか「反時計回り」であるのか、あるいは、「上」はどちらか等を容易に検出して、制御装置で判定させることができる。その結果、電気泳動表示装置の「表示面」の特定を容易にすることができるとともに、様々な電気泳動表示装置の回転のパターンにも対応することができるようになる。
【発明を実施するための最良の形態】
【００２９】
以下、本発明にかかる電気泳動表示装置の駆動方法、及び、電気泳動表示装置を具体化した一実施形態を図面に従って説明する。
図１及び図２は、電気泳動表示装置（表示装置）１０の全体の平面図を示すものである。
【００３０】
図１及び図２に示すように、表示装置１０は電気泳動表示パネル（表示パネル）１１を備え、表示パネル１１の下側には第１の枠部１１Ａを有し、表示パネル１１の左側には第２の枠部１１Ｂを有している。
【００３１】
第１の枠部１１Ａには、図２に示すように、４つの操作ボタン１１１〜１１４が設けられている。各操作ボタン１１１〜１１４は、薄くて可撓性を有する、例えば、メンブレンスイッチ、シート状のキースイッチや、圧力センサ等から形成されていて、表示パネル１１の表裏のどちらからの操作にも反応することができるようになっている。また、第２の枠部１１Ｂには、表示装置１０の駆動電源としての蓄電池（図示略）や外部接続端子（図子略）などが設けられている。
【００３２】
図３は、表示パネル１１の３−３線断面図である。
図３において、表示パネル１１は、素子基板１２と対向基板１３を有し、その素子基板１２と対向基板１３との間には、電気泳動表示層１４が配置されている。また、対向基板１３の表面（図３において上側）には正面１３ａが備えられ、素子基板１２の表面（図３において下側）には背面１２ａが備えられている。すなわち、Ａ方向（正面１３ａ側）からは対向基板１３を介して、Ｂ方向（背面１２ａ側）からは素子基板１２を介して、電気泳動表示層１４を見るようになっている。
【００３３】
図３に示すように、素子基板１２は、可撓性及び光透過性を有する背面基板１５を備え、その一面（図３における上側）には、素子形成層１６が形成されている。背面基板１５は、可撓性、光透過性及び弾性等に優れた熱可塑性樹脂又は熱硬化性樹脂材料、例えば、ポリエチレンテレフタレート、ポリカーボネート、ポリイミド、ポリエチレン等により形成されている。また、素子形成層１６には、複数の導電層、絶縁層が形成されており、例えば、有機トランジスタＴｒ（図４参照）、画素電極、各種の配線が形成されている。導電層、特に画素電極は、光透過性を有する導電性の材料、例えば、インジウムスズ酸化物等、もしくはポリアニリン等の電子導電性高分子等により形成されている。また、絶縁層も光透過性を有する材料にて形成されている。さらに、光透過性を有しない部材で形成される配線等は、その太さを数μｍ（マイクロメートル）にして、もしくはその厚さを１０ｎｍ（ナノメートル）にして、光透過率の低減が抑制されるようになっている。
【００３４】
なお、本実施形態では、ｐ型チャンネルの有機トランジスタＴｒについて説明するが、有機トランジスタの構成は、ｎ型チャンネルやその他の形式の有機トランジスタであってもよい。
【００３５】
有機トランジスタＴｒは、図４に示すように、背面基板１５の上面に、素子形成層１６を形成する絶縁層、電極、有機半導体層がそれぞれ所定の順番で積層されるようにして、電界効果型トランジスタとして形成されている。電極は、導電性のある材料で透明性の低い材料、例えば、金、銅もしくはアルミニウム等の金属であるならば、膜厚１００ｎｍ以下が望ましい。１００ｎｍ以上であると可視光の透過率が低下し、一方の表示特性が低下する。また、ポリアニリン等の電子導電性高分子等に関しても、同様に膜厚１０μｍ以下が望ましい。１０μｍ以上であると可視光の透過率が低下し、一方の表示特性が低下する。また、インジウムスズ酸化物や、インジウム亜鉛酸化物等の透明性を有する酸化物は、可視光の透過率が高いので好適である。一方、絶縁層は絶縁性のある材料、例えば、エポキシ系樹脂、エステル系樹脂、ポリパラキシレン、およびその誘導体、ポリビニルフェノール、ポリメチルメタクリレートに代表されるアクリル樹脂、ポリイミド、ポリスチレン、ポリビニルアルコール、ポリビニルアセテート等のうちの１種の材料、又はこれらを２種以上組み合わせた材料から形成されている。その中でも、可視光領域に吸収波長を有さない、あるいは透過係数が大きい材料が好適である。また、有機半導体層は、例えば、ナフタレン、アントラセン、テトラセン、ペンタセン、ヘキサセン、フタロシアニン、ペリレン、ヒドラゾン、トリフェニルメタン、ジフェニルメタン、スチルベン、アリールビニル、ピラゾリン、トリフェニルアミン、トリアリールアミン、オリゴチオフェン、フタロシアニンまたはこれらの誘導体のような低分子の有機半導体材料や、ポリ−Ｎ−ビニルカルバゾール、ポリビニルピレン、ポリビニルアントラセン、ポリチオフェン、ポリヘキシルチオフェン、ポリ（ｐ−フェニレンビニレン）、ポリチニレンビニレン、ポリアリールアミン、ピレンホルムアルデヒド樹脂、エチルカルバゾールホルムアルデヒド樹脂、フルオレン−ビチオフェン共重合体、フルオレン−アリールアミン共重合体またはこれらの誘導体のような高分子の有機半導体材料が挙げられ、これらのうちの１種または２種以上を組み合わせて用いることができる。さらに、可視光領域に吸収波長を有さない、あるいは透過係数が大きい材料が好適である。
【００３６】
すなわち、素子基板１２は、画素電極に対応する範囲は所定の開口率を有する等により、所定の光透過率を有するように形成されている。
対向基板１３は、これも可撓性及び光透過性を有する透明基板１７を備え、その一面（図３における下側）には、共通電極１８が形成されている。透明基板１７は、可撓性、光透過性及び弾性等に優れた熱可塑性樹脂又は熱硬化性樹脂材料、例えば、ポリエチレンテレフタレート、ポリカーボネート、ポリイミド、ポリエチレン等により形成されている。共通電極１８は、前述の電極と同様の材料により形成されている。
【００３７】
そして、本実施形態では、透明基板１７は、背面基板１５と同一の部材によって同一の厚みに形成されるとともに、共通電極１８は、素子形成層１６と同一の厚みに形成されていて、素子基板１２と対向基板１３のそれぞれの光透過率が近い値になるように形成されている。または、両面の可視領域での光の透過率が同一になるように、基板の膜厚や相関絶縁層の膜厚を調整して形成している。
【００３８】
なお、素子形成層１６の絶縁層に、有機トランジスタを覆う遮光性のブラックマトリクスを形成しても良い。具体的には、図６における画素電極２６を開口部とした格子状のブラックマトリクス（図示せず）を全画素（表示領域）に渡って形成し、有機トランジスタＴｒを平面視においてブラックマトリクスと重なるように配置する。例えば、有機トランジスタＴｒをデータ線Ｌｘｍと走査線Ｌｙｎとの交点近傍における画素電極の外側に配置する。
【００３９】
この構成によれば、背面基板１５側から入射する光が、有機トランジスタＴｒに照射されることを防止することが可能となり、当該トランジスタの動作を安定させることができる。また、ブラックマトリクスを透明基板１７にも形成しても良い。前述したようにブラックマトリクスは、各画素（電極）を囲うように形成されているため、画素ごとの階調を際立たせる作用があり、コントラストを高めることができる。さらに、正面側および背面側における表示品質を均一なものとすることができる。
【００４０】
電気泳動表示層１４は、バインダ１９によって一体化された多数のマイクロカプセル２０によって構成されている。マイクロカプセル２０には、図４に示すように、分散系としての電気泳動分散媒３４と、電気泳動粒子３５とが封入されている。電気泳動粒子３５は、正あるいは負に帯電した白色粒子３５ｗ、及び、その白色粒子３５ｗとは異なる極性に帯電した黒色粒子３５ｂとからなり、それぞれマイクロカプセル２０に印加された電界の向きに応じて電気泳動分散媒３４中を泳動する。
【００４１】
マイクロカプセル２０は、例えば、アラビアゴム・ゼラチン系化合物、ウレタン系化合物等により形成されている。電気泳動分散媒３４は、例えば、水、メタノール、エタノール等からなる。また、電気泳動粒子３５は、例えば、アニリンブラック、カーボンブラック、二酸化チタン等により形成されている。
【００４２】
すなわち、本実施形態では、電気泳動表示層１４に電気泳動粒子３５により表示された画像等が、Ａ方向から対向基板１３を介しても、Ｂ方向から素子基板１２を介しても、同様の光透過率の下で表示されるようになっている。
【００４３】
一方、素子基板１２において、図２に示すように、第１の枠部１１Ａに対応する位置には、走査線駆動回路２３が設けられていて、第２の枠部１１Ｂに対応する位置には、表示制御回路２２、データ線駆動回路２４、制御装置５０及び加速度センサ５２が設けられている。
【００４４】
図５は、図２に示す表示装置１０を時計回り方向に９０度回転した状態、すなわち第２の枠部１１Ｂを上側にした状態での回路構成について説明した図である。
素子基板１２は、図５に示すように、ｎ本の横方向（図２において上下方向）略全幅に渡る走査線Ｌｙ１，Ｌｙ２，…，Ｌｙｎ（ｎは自然数）が配列形成されているとともに、ｍ本の縦方向（図２において左右方向）略全幅に渡るデータ線Ｌｘ１，Ｌｘ２，…，Ｌｘｍ（ｍは自然数）が配列形成されている。
【００４５】
各走査線Ｌｙ１〜Ｌｙｎと各データ線Ｌｘ１〜Ｌｘｍの交差するそれぞれの位置には、それぞれ対応する走査線Ｌｙ１〜Ｌｙｎ及びデータ線Ｌｘ１〜Ｌｘｍに接続された画素２６が配置されている。すなわち、画素２６は、素子基板１２上にマトリックス形状に複数配置されるようになっている。そして、画素２６には、それぞれ有機トランジスタＴｒなどの制御素子や、透明導電膜などからなる光透過性の画素電極２７（図６参照）が備えられている。
【００４６】
図６は、「ｍ番目」のデータ線Ｌｘｍと「ｎ番目」の走査線Ｌｙｎとの交差部に対応して形成された画素２６の等価回路である。画素２６は、１個の有機トランジスタＴｒと、画素電極２７に対応した広さの電気泳動表示層１４と、共通電極１８とから構成されている。
【００４７】
有機トランジスタＴｒは、そのゲート電極４６が「ｎ番目」の走査線Ｌｙｎに接続されているとともに、そのソース電極４２が「ｍ番目」のデータ線Ｌｘｍに接続されている。また、有機トランジスタＴｒは、そのドレイン電極４３が画素電極２７に接続されている。そして、画素電極２７に対向する位置には、電気泳動表示層１４を介して共通電極１８が形成されている。共通電極１８は、共通端子ＣＯＭに接続されている。
【００４８】
図７に示すように、表示パネル１１の第２の枠部１１Ｂには、加速度センサ５２が内設されている。加速度センサ５２は、表示パネル１１のＸ方向に方向が一致するＸ方向検出軸５２ｘ、表示パネル１１のＹ方向に方向が一致するＹ方向検出軸５２ｙ及び表示パネル１１のＺ方向に方向が一致するＺ方向検出軸５２ｚを有している。
【００４９】
詳述すると、図８（ａ）及び（ｂ）に示すように、Ｘ方向検出軸５２ｘは、水平線Ｌｘに対する傾き角度ΔＸを検出する軸である。Ｙ方向検出軸５２ｙは、水平線Ｌｙに対する傾き角度ΔＹを検出する軸である。Ｚ方向検出軸５２ｚは反重力方向−ｇに対する傾き角度ΔＺを検出する軸である。
【００５０】
傾き角度ΔＸは、Ｘ方向検出軸５２ｘが水平線Ｌｘと平行な場合には「０度」と、重力方向ｇに一致する場合は「−９０度」と、反重力方向−ｇに一致する場合は「９０度」として検出されるようになっている。
【００５１】
また、傾き角度ΔＹは、Ｙ方向検出軸５２ｙが水平線Ｌｙと平行な場合には「０度」と、重力方向ｇに一致する場合は「−９０度」と、反重力方向−ｇに一致する場合は「９０度」として検出されるようになっている。
【００５２】
さらに、傾き角度ΔＺは、Ｚ方向検出軸５２ｚが反重力方向−ｇに一致する場合には「０度」と、水平な場合は「９０度」と、重力方向ｇに一致する場合は「１８０度」として検出されるようになっている。
【００５３】
次に、上記のように構成した電気泳動表示装置１０の電気的構成について図９に従って説明する。
図９において、選択手段としての制御装置５０には、ＣＰＵ、ＲＯＭ、ＲＡＭなどが備えられている。そして、制御装置５０は、ＲＯＭやＲＡＭなどに格納された各種データ及び各種プログラムに従って、表示制御回路２２を通じて表示パネル１１の表示動作を制御するようになっている。
【００５４】
制御装置５０には、入力装置５１、加速度センサ５２、スイッチとしての操作ボタン１１１〜１１４及び表示制御回路２２が接続されている。
入力装置５１は、外部接続端子を通じて制御装置５０に電気的に接続されている。入力装置５１は制御装置５０（表示装置１０）に対して着脱可能に接続されるようになっていて、必要時に電気的に接続されるようになっている。入力装置５１は、制御装置５０に画像データＢＤや各種プログラム等を制御装置５０に入力するとともに、蓄電池を充電するための電力を蓄電池に供給するようになっている。画像データＢＤは、例えば、本一冊分データであって、本全ページ分の表示内容に相当する画像をページ毎の区切りの情報とともに併せて生成されているものである。
【００５５】
制御装置５０は、入力された画像データＢＤをＲＡＭに格納するようになっている。また、制御装置５０は、表示パネル１１に表示させる所定のページを選択して、画像データＢＤからページ区切り情報に基づいて区切られた１ページ分の第１の表示データを構成する表示データＰＤを生成して、表示制御回路２２に入力するようになっている。尚、本実施形態では、表示装置１０の正面１３ａが基準の表示面（初期表示面）として設定されていて、前記表示データＰＤは、初期表示面としての正面１３ａに文字等を表示するように生成されたデータである。
【００５６】
例えば、表示データＰＤに基づいて、図１０（ａ）に示すように、表示装置１０の正面１３ａ側に１ページ分の文字（画像）「ＡＢＣ」が表示される。このとき、素子基板１２は、透明であるため、背面１２ａ側にも、文字（画像）「ＡＢＣ」の反転した反転文字（反転画像）が表示される。
換言すると、正面１３ａ側には「ＡＢＣ」のポジ画像が表示され、背面１２ａ側には「ＡＢＣ」の反転ネガ画像が表示されることになる。
【００５７】
なお、表示装置１０は、反射型の表示デバイスであるため、正面１３ａ側から観察したときに、背面１２ａ側の表示が観察されない構成となっている。また、その反対も同様である。このためには、図４で説明した電気泳動分散媒３４が、白と黒との中間色（例えば、グレー）であるとともに、半透光性であることが望ましい。この構成によれば、例えば、正面１３ａ側から観察しているときに、背面１２ａから入射して来る光の影響を低減することができる。また、階調表示も行うことができる。具体的には、例えば、正面１３ａ側から観察したときに、白粒子が共通電極１８に密着しているときは「白」表示となり、共通電極から離れるにつれて電気泳動分散媒３４を透過して白粒子で反射する光が徐々に減衰するため「淡いグレー」となり、白粒子が電気泳動表示層の厚さの中ほどに来ると当該分散媒の色調である「グレー」となる。また、さらに白粒子が沈み込む、つまり、素子基板１２側に近づくと、「濃いグレー」となる。なお、このとき、白粒子と入れ替わりに黒粒子が共通電極１８側に近づくことになり、白粒子が完全に沈み込んで、素子形成層１６に密着した場合、共通電極１８には黒粒子が密着しているため正面１３ａ側には「黒」が観察されることになる。
【００５８】
このように、本願の電気泳動表示装置１０によれば、共通電極１８と素子形成層１６（画素電極２６）との間に印加する電位差を制御することにより、白粒子、黒粒子の電気泳動表示層の厚さ方向における位置を調整し、階調表示を行うことができる。
【００５９】
そして、正面１３ａ側に表示される文字「ＡＢＣ」は、電気泳動分散媒３４中を分散している電気泳動粒子３５の黒色粒子３５ｂが正面１３ａ側に集まるため、図１０（ａ）に示すように、黒色で表示される。これに対して、表示装置１０の背面１２ａ側に表示される反転文字は、電気泳動粒子３５の白色粒子３５ｗが背面１２ａに集まるため、図１０（ｂ）に示すように、白色で表示される。
【００６０】
なお、本実施形態では、正面１３ａ側又は背面１２ａ側のうち、所望の画像が正しく表示される面側を「表示面」とする。
すなわち、制御装置５０は、「表示面」が正面１３ａ側である場合には、表示データＰＤを画像データＢＤから読み出した１ページ分の表示データＰＤにするようになっている。一方、「表示面」が背面１２ａ側である場合には、表示データＰＤを画像データＢＤから読み出した１ページ分の表示データＰＤから、その表示データＰＤの左右及び白黒をともに反転させた第２の表示データを構成する表示データＰＤ（反転表示データ）として生成するようになっている。
【００６１】
制御装置５０には、加速度センサ５２から傾き角度ΔＸを示すＸ軸角度信号ＡＸと、傾き角度ΔＹを示すＹ軸角度信号ＡＹと、傾き角度ΔＺを示すＺ軸角度信号ＡＺとがそれぞれ入力される。
【００６２】
制御装置５０は、加速度センサ５２からのＺ軸角度信号ＡＺを受けて、Ｚ軸角度信号ＡＺが角度「０度」以上「９０度」未満を示す信号の場合には、表示パネル１１の正面１３ａが上を向いていると判定する。また、制御装置５０は、加速度センサ５２からのＺ軸角度信号ＡＺを受けて、Ｚ軸角度信号ＡＺが角度「９０度」以上「１８０度」までを示す信号の場合には、表示パネル１１の背面１２ａが上を向いていると判定する。そして、制御装置５０は、初期設定や電源投入後などにおいては、正面１３ａと背面１２ａのいずれかの面が上を向いている面かを判定し、画像等を表示させる「表示面」として特定するようになっている。
【００６３】
すなわち、制御装置５０は、Ｚ軸角度信号ＡＺが角度「０度」以上「９０度」未満を示す場合には正面１３ａ側を「表示面」として検出し、Ｚ軸角度信号ＡＺが角度「９０度」以上「１８０度」までを示す場合には、背面１２ａ側を「表示面」として検出するようになっている。
【００６４】
また、制御装置５０は、図１１（ａ）に示すように、表示装置１０が中心線Ｃ１を回動中心にして矢印６０で示す方向に回転したこと、つまり時計回り方向に回転したことをＸ軸角度信号ＡＸから検出すると、表示装置１０が「順回転」したと判定するようになっている。例えば、制御装置５０は、「表示面」が正面１３ａ側の場合は、傾き角度ΔＸが「０度」から「９０度」を通過して「１８０度」に向かう回転や、「表示面」が背面１２ａ側の場合は、傾き角度ΔＸが「１８０度」から「−９０度」を通過して「０度」に向かう回転を「順回転」と判定する。さらに、制御装置５０は、図１１（ｂ）に示すように、表示装置１０が中心線Ｃ１を回動中心にして矢印６１で示す方向に回転したこと、つまり反時計回り方向に回転したことをＸ軸角度信号ＡＸから検出すると、表示装置１０が「逆回転」したと判定するようになっている。例えば、制御装置５０は、「表示面」が正面１３ａ側の場合は、傾き角度ΔＸが「０度」から「−９０度」を通過して「１８０度」に向かう回転や、「表示面」が背面１２ａ側の場合は、傾き角度ΔＸが「１８０度」から「９０度」を通過して「０度」に向かう場合を「逆回転」と判定する。
【００６５】
そして、制御装置５０は、表示装置１０が「順回転」した場合は、ページを次に進めると判定して、画像データＢＤから読み出すデータを次の１ページ分の表示データＰＤに変更するようになっている。また、制御装置５０は、表示装置１０が「逆回転」した場合は、ページを戻すと判定して、画像データＢＤから読み出すデータを前の１ページ分の表示データＰＤに変更するようになっている。
【００６６】
ところで、制御装置５０は、電源投入後に表示パネル１１に表示させるページとして、ＲＡＭに新たな画像データＢＤが格納された直後であれば最初の１ページを読み出し、それ以外は前回と同じページを選択するようになっている。
【００６７】
制御装置５０は、操作ボタン１１１〜１１４からは、オン操作に基づき出力されるボタン信号Ｂ１〜Ｂ４を入力するようになっている。
制御装置５０は、ボタン信号Ｂ１〜Ｂ４に応答して、各ボタン信号Ｂ１〜Ｂ４に対応する機能を実行するようになっている。また、各操作ボタン１１１〜１１４からの各ボタン信号Ｂ１〜Ｂ４は、ＲＡＭやＲＯＭに格納されたデータやプログラムなどによって用途が変更されるようになっている。なお、本実施形態では、操作ボタン１１１は電源を入切する「電源」ボタンに、操作ボタン１１２は前のページ移動する「前頁」ボタンに、操作ボタン１１３は次のページへ移動する「次頁」ボタンに、操作ボタン１１４は「表示面」を切換える「表示面切換」ボタンにそれぞれ割り当てられている。
また、上記ボタンの他に、表示のポジ・ネガを切り替える操作ボタンや、表示の階調を調整するための操作ボタンを備えていても良い。
【００６８】
表示制御回路２２は、走査線駆動回路２３とデータ線駆動回路２４と電気的に接続されている。表示制御回路２２は、走査線駆動回路２３に垂直同期信号ＳＣを、データ線駆動回路２４にデータタイミング信号ＶＤを出力する。また、制御装置５０から１ページ分の表示データＰＤを受けて、表示データＰＤをデータタイミング信号ＶＤに同期してデータ線駆動回路２４へ供給する。そして、表示パネル１１に画像等が表示されるようになっている。
【００６９】
走査線駆動回路２３は、表示制御回路２２から伝達される垂直同期信号ＳＣに基づいて、素子基板１２に設けられた前記ｎ本の走査線Ｌｙｎのうち、１本の走査線を、Ｌｙ１，Ｌｙ２，…，Ｌｙｎ−１，Ｌｙｎの順に選択する。そして、走査線駆動回路２３は、その選択された走査線に対応する走査信号ＳＣ１〜ＳＣｎ（ｎは自然数）を出力する。そして、これら走査信号ＳＣ１〜ＳＣｎによって、データ線駆動回路２４から出力されるデータ信号ＶＤ１〜ＶＤｍを、選択された走査線上の画素２６に対して供給するタイミングが制御される。
【００７０】
データ線駆動回路２４は、表示データＰＤに対応したデータ信号ＶＤ１〜ＶＤｍを作成して、対応するデータ線Ｌｘ１〜Ｌｘｍを介してそれぞれの画素２６に供給する。すなわち、走査線駆動回路２３からの走査信号ＳＣ１〜ＳＣｎによって選択された各画素２６の有機トランジスタＴｒがそれぞれオン状態に設定されて、それぞれの画素２６に供給されたデータ信号ＶＤ１〜ＶＤｍが有機トランジスタＴｒを介して画素電極２７に供給される。つまり、電気泳動表示層１４を介して対向する画素電極２７と共通電極１８の間に、各データ信号ＶＤ１〜ＶＤｍの電圧に基づいた電界を生じさせる。そして、画素電極２７と共通電極１８との間に生じた電界に基づいて、電気泳動粒子３５としての白色粒子３５ｗ及び黒色粒子３５ｂがそれぞれの帯電に対応する電位を有する画素電極２７もしくは共通電極１８のいずれかの方向に移動して、表示パネル１１の表面に白色もしくは黒色を基本とした画像等が表示されるようになっている。
【００７１】
次に、上記のように構成した電気泳動表示装置１０の動作について図１１（ａ）（ｂ）を参照して説明する。
ここで、説明の便宜上、表示装置１０の制御装置５０には、複数ページ分の画像を含む新たな画像データＢＤがＲＡＭに格納され、その画像データＢＤの１ページ目の画像が白地に黒い「ＡＢＣ」の字を示したポジ画像、２ページ目の画像が白地に黒い「ＤＥＦ」の字を示したポジ画像とする。
【００７２】
まず、「電源」ボタンとしての操作ボタン１１１を操作して、表示装置１０の電源を入れる。すると、制御装置５０は、上（天井側）を向いている表示パネル１１の正面１３ａ側を「表示面」と判定して、図１１（ａ）のように正面１３ａ側に「ＡＢＣ」を示した画像を表示する。
【００７３】
次に、表示装置１０を、中心線Ｃ１を回動中心にして矢印６０で示す方向に回転させる。すると、制御装置５０は、加速度センサ５２から入力されるＺ軸角度信号ＡＺから表示装置１０が「順回転」されたと判定する。
【００７４】
表示装置１０が「順回転」して、「表示面」が背面１２ａ側に切り替わったと判定すると、制御装置５０は、ページを次に進めるために、画像データＢＤから２ページ目の表示データＰＤを読み出す。そして、制御装置５０は、「表示面」が背面１２ａ側なので、その２ページ目の表示データＰＤに基づく画像を左右、及び白黒をともに反転させる表示データＰＤ（反転表示データ）を生成して表示制御回路２２に入力する。すると、表示装置１０の「表示面」となった背面１２ａ側には、図１１（ｂ）に示すように、白地に黒い「ＤＥＦ」の字が示された画像が表示される。
【００７５】
以降同様に、制御装置５０は、表示装置１０が「順回転」されて、「表示面」が正面１３ａ側に切り替わった場合には、画像データＢＤからの次のページの表示データＰＤを読み出し、該表示データＰＤを表示制御回路２２に入力する。また、制御装置５０は、表示装置１０が「順回転」されて、「表示面」が背面１２ａ側になった場合には、画像データＢＤから次のページの表示データＰＤを読み出し、その表示データＰＤの画像の左右、及び白黒をともに反転させた表示データＰＤ（反転表示データ）を生成して表示制御回路２２に入力する。このようにして、表示装置１０に連続して順次各ページの画像を表示することができる。
【００７６】
一方、図１１（ｂ）のように２ページ目の画像である「ＤＥＦ」を背面１２ａに表示している場合に、表示装置１０を、中心線Ｃ１を回動中心にして矢印６１で示す方向に回転させる。すると、制御装置５０は、加速度センサ５２から入力されるＺ軸角度信号ＡＺから表示装置１０が「逆回転」されたと検出する。
【００７７】
表示装置１０が「逆回転」して、「表示面」が正面１３ａ側に切り替わったと判定すると、制御装置５０は、ページを戻すために、画像データＢＤから１ページ目の表示データＰＤを読み出す。そして、制御装置５０は、「表示面」が正面１３ａなので、その１ページ目の表示データＰＤをそのまま表示制御回路２２に入力する。すると、表示装置１０の「表示面」となった正面１３ａには、図１１（ａ）に示すように、白地に黒い「ＡＢＣ」の字が示された画像が表示される。
【００７８】
以降同様に、制御装置５０は、表示装置１０が「逆回転」されて、「表示面」が正面１３ａに切り替わった場合には、画像データＢＤからの前のページの表示データＰＤを読み出して表示制御回路２２に入力する。また、制御装置５０は、表示装置１０が「逆回転」されて、「表示面」が背面１２ａになった場合には、画像データＢＤから前のページの表示データＰＤを読み出して、読み出した表示データＰＤに基づいてその画像の左右、及び白黒をともに反転させた表示データＰＤ（反転表示データ）を生成して表示制御回路２２に入力する。このようにして、表示装置１０に連続して各ページの前のページの画像を表示することができる。
【００７９】
従って、表示装置１０を「順回転」もしくは「逆回転」させることで、表示装置１０の正面１３ａ側もしくは背面１２ａの「表示面」に、ページを進めるもしくは戻すようにして画像を表示させることができる。その結果、表裏両面に画像等の表示をすることが可能な薄くて安価な電気泳動表示装置の駆動方法、及び、電気泳動表示装置が提供できる。
【００８０】
以上説明したように、本実施形態にかかる電気泳動表示装置の駆動方法、及び、電気泳動表示装置によれば、以下に列記するような効果が得られるようになる。
（１）本実施形態では、素子基板１２と対向基板１３とが光透過性を有する部材により形成されるとともに、素子形成層１６も光透過性を有する部材を用いて形成されている。従って、表示パネル１１の正面１３ａ側に加えて、素子基板１２の表面である背面１２ａ側からも電気泳動表示層１４に表示された画像を見ることができる。
さらに、本実施形態に係る電気泳動表示装置１０は、１つの電気泳動表示層１４を素子基板１２と対向基板１３とで挟持する構成であるため、電気泳動表示層が表裏の表示部ごとに２つ（２層）必用であった従来の電気泳動表示装置よりも、薄く構成することができる。
【００８１】
（２）本実施形態では、透明基板１７は、背面基板１５と同一の部材によって同一の厚みに形成され、共通電極１８は、素子形成層１６と同一の厚みに形成されて、素子基板１２と対向基板１３の光透過率が近くなるように形成された。従って、電気泳動表示層１４に表示された画像等は、Ａ方向から対向基板１３を介しても、Ｂ方向から素子基板１２を介しても、同様の光透過率の下で表示される。その結果、同じ画像を「表示面」を正面１３ａ側として表示させても、「表示面」を背面１２ａ側として表示させても、同様の光透過率で表示されるようにできる。すなわち、画像が表示されたのが正面１３ａ側か背面１２ａ側であるかによる、画像の違い、例えば濃淡などの違いを少なくすることができる。
【００８２】
（３）本実施形態では、画像データＢＤは、例えば、本一冊分データであった。従って、表示装置１０を一冊の本に対応させることができた。
（４）本実施形態では、制御装置５０は、「表示面」が表示パネル１１の正面１３ａである場合には、表示データＰＤを画像データＢＤから選択した表示データＰＤから生成した。また、「表示面」が表示パネル１１の背面１２ａである場合には、表示データＰＤを画像データＢＤから読み出した表示データＰＤの左右及び白黒をともに反転させた表示データＰＤ（反転表示データ）を生成した。従って、表示装置１０には、画像データＢＤに基づいた画像を、正面１３ａと背面１２ａのどちらにも表示することができる。
【００８３】
（５）本実施形態では、表示装置１０は、加速度センサ５２を備えた。従って、加速度センサ５２によって、表示装置１０の傾き角度ΔＸ、傾き角度ΔＹ、及び傾き角度ΔＺを容易に検出することができて、該検出に基づいて表示装置１０の回転方向などを容易に判定することができる。
【００８４】
（６）本実施形態では、加速度センサ５２から表示装置１０は「順回転」したのか「逆回転」したのかを検出した。従って、表示装置１０を「順回転」させることでページを次に進めることができ、「逆回転」させることでページを戻すことができる。その結果、表示装置１０は、本やパンフレットをめくるような操作で表示する画像を変更することができる。
【００８５】
（７）本実施形態では、操作ボタン１１２は前のページ移動するボタンに、操作ボタン１１３は次のページへ移動するボタンに、操作ボタン１１４は表示面を切換えるボタンにそれぞれ割り当てた。従って、表示装置１０を参照する体勢に併せて表示を手動で調整することもできる。
【００８６】
（その他の実施形態）
・上記実施形態では、加速度センサ５２から、表示装置１０は「順回転」したのか「逆回転」したのかを検出した。しかし、これに限らず、加速度センサ５２から、表示装置１０が点Ｃ２を回動中心に「横回転」したことを検出してもよい。例えば、図１２に示すように、点Ｃ２を中心に９０度だけ「横回転」させた場合は、「表示面」が横長になったことを検出して２ページ分の画像を表示するようにしてもよい。また、表示装置１０が点Ｃ２を回動中心に１８０度だけ「横回転」したことを検出した場合は、表示する画像の上下を入れ替えるようにしてもよい。
【００８７】
・上記実施形態では、入力装置５１から画像データＢＤを制御装置５０に入力した。しかし、これに限らず、制御装置５０に無線通信機能を付加して、無線通信によって画像データＢＤの転送を行ってもよい。また、制御装置５０にメモリーカードなどの記憶装置の接続端子を設けて、メモリーカードなどから画像データＢＤを供給するようにしてもよい。
【００８８】
・上記実施形態では、表示装置１０は、内蔵された蓄電池から電源が供給されが、外部電源から電源が供給されてもよい。そうすれば、電源のある場所では蓄電池の電気の残量にかかわらずに表示装置１０を用いることができる。また、表示装置１０から蓄電池を除くことで表示装置１０を軽量化することができる。
【００８９】
・上記実施形態では、第１の枠部１１Ａに操作ボタン１１１〜１１４を設けたが、操作ボタン１１１〜１１４は必ずしも必要ではない。また、操作ボタン１１１〜１１４は、代替となるものに置き換えてもよい。例えば、表示装置１０の表面にタッチセンサを備えて、タッチセンサが検出する接触されたことと、表示装置１０に表示された画像を照合して、特定の操作がされたことを検出するようにしてもよい。
【００９０】
・上記実施形態では、加速度センサ５２を第２の枠部１１Ｂに設けたが、加速度センサ５２を設ける位置は、表裏面における表示を妨げない場所であれば、電気泳動表示装置１０の何処の部位でもよい。
・上記実施形態では、加速度センサ５２によって「表示面」を検出した。しかし、これに限らず、光センサやタッチセンサによって「表示面」を検出してもよい。光センサを用いた場合は、検出される光度に基づいて「表示面」を検出することができる。タッチセンサを用いた場合は、把持されている面積の差から「表示面」を検出することができる。
【００９１】
・上記実施形態では、表示装置１０には１ページ分の画像を表示したが、表示装置１０には、複数のページ分の画像、例えば、４ページ分の画像等を表示するようにしてもよい。
【００９２】
・上記実施形態では、表示装置１０は、色は白と黒とした。しかし、これに限らず、白と黒は、そのほかの色でもよいし、複数の階調をもって表示されてもよい。また、共通電極１８と透明基板１７との間、および素子形成層１６と素子基板１２との間に、カラーフィルタを設けて、表裏両面においてカラー表示を行うこともできる。この場合、それぞれが赤、緑、青色のカラーフィルタを備えた３つの画素を１つのカラー画素として構成する。
【００９３】
・上記実施形態では、表示装置１０を電子ペーパとしたが、図１３に示すように、電子ブック７０として用いてもよい。この場合、バインダ７１に設けたリング７２に複数の電気泳動表示装置１０Ａを綴るようにする。そして、各電気泳動表示装置１０Ａには、リング７２を通じて、画像データＢＤの入力や電源の供給をするとよい。
【００９４】
・上記実施形態では、第１の枠部１１Ａと第２の枠部１１Ｂを設けたが、第１の枠部１１Ａ、第２の枠部１１Ｂとも無くてもよい。
・上記実施形態では、背面基板１５と透明基板１７を同一部材、同一厚みとし、素子形成層１６と共通電極１８を同一の厚みとした。しかし、これに限らず、部材は同一でなく、厚みも同一でなくてもよい。要は、素子基板１２と対向基板１３の光透過率を同様にすることができればよい。また、素子基板１２と対向基板１３の光透過率が異なる場合は、光透過率を一致させる部材等を光透過率の高いほうに付加してもよい。
【００９５】
・上記実施形態では、画像データＢＤには、１ページごとの１つの表示データＰＤが含まれていた。しかし、これに限らず、画像データＢＤには、１ページに対して、対向基板１３側を「表示面」とする第３の表示データと、素子基板１２側を「表示面」とする第４の表示データを含むようにしても良い。
【００９６】
・上記実施形態では、画像データＢＤには、対向基板１３側を「表示面」とする表示データＰＤが含まれていた。しかし、これに限らず、画像データＢＤには、対応する「表示面」を特定できるタグを有する第５の表示データを含むようにしてもよい。そして、「表示面」がタグと一致した場合はそのまま第５の表示データを表示して、「表示面」がタグと異なる場合には、第５の表示データを変換した第６の表示データを表示するようにしても良い。
【００９７】
・上記実施形態では、表示装置１０は、対向基板１３側（正面１３ａ）を初期表示面として設定されたが、素子基板１２側（背面１２ａ）を初期表示面として設定されてもよい。
【図面の簡単な説明】
【００９８】
【図１】本発明にかかる電気泳動粒子を備えた電気泳動表示装置の一実施形態についてその全体の平面図。
【図２】同実施形態の電気泳動表示装置の平面構造を示す平面図。
【図３】同実施形態の表示パネルの断面構造を示す図２の３−３線断面図。
【図４】同実施形態の表示パネルの断面構造を示す断面図。
【図５】同実施形態の素子基板の回路構成を示す回路図。
【図６】同実施形態の画素部分の等価回路を示す回路図。
【図７】同実施形態の加速度センサの配置を示す平面図。
【図８】同実施形態の加速度センサの傾き角度の検出を説明する側面図であって、（ａ）は水平な状態を示す側面図、（ｂ）は傾いた状態を示す側面図。
【図９】同実施形態の電気泳動表示装置の電気的構成を示すブロック図。
【図１０】同実施形態の電気泳動表示装置に表示される画像を示す平面図であって、（ａ）は表示面に表示された画像を示す平面図、（ｂ）は表示面の反対側に表示される画像を示す平面図。
【図１１】同実施形態の電気泳動表示装置に表示される画像を示す平面図であって、（ａ）は表示面（正面）に１ページ目の画像を表示した平面図、（ｂ）は表示面（背面）に２ページ目の画像を表示した平面図。
【図１２】別例における電気泳動表示装置に表示される画像を示す平面図。
【図１３】その他の別例における電気泳動表示装置によって構成される電子ブックの平面構造を示す平面図。
【符号の説明】
【００９９】
ｇ…重力方向、−ｇ…反重力方向、ＡＸ…Ｘ軸角度信号、ＡＹ…Ｙ軸角度信号、ＡＺ…Ｚ軸角度信号、ＢＤ…画像データ、Ｃ１…中心線、Ｃ２…点、Ｌｘ，Ｌｙ…水平線、ＰＤ…表示データ、ＳＣ…垂直同期信号、Ｔｒ…有機トランジスタ、ＶＤ…データタイミング信号、ＣＯＭ…共通端子、Ｌｘ１，Ｌｘ２〜Ｌｘｍ…データ線、Ｌｙ１，Ｌｙ２〜Ｌｙｎ−１，Ｌｙｎ…走査線、Ｂ１，Ｂ２，Ｂ３，Ｂ４…ボタン信号、ＳＣ１〜ＳＣｎ…走査信号、ＶＤ１〜ＶＤｍ…データ信号、１０…電気泳動表示装置（表示装置）、１０Ａ…電気泳動表示装置、１１…電気泳動表示パネル（表示パネル）、１１Ａ…第１の枠部、１１Ｂ…第２の枠部、１２…素子基板、１２ａ…背面、１３…対向基板、１３ａ…正面、１４…電気泳動表示層、１５…背面基板、１６…素子形成層、１７…透明基板、１８…共通電極、１９…バインダ、２０…マイクロカプセル、２２…表示制御回路、２３…走査線駆動回路、２４…データ線駆動回路、２６…画素、２７…画素電極、３４…電気泳動分散媒、３５…電気泳動粒子、３５ｂ…黒色粒子、３５ｗ…白色粒子、４２…ソース電極、４３…ドレイン電極、４６…ゲート電極、５０…制御装置、５１…入力装置、５２…加速度センサ、５２ｘ…Ｘ方向検出軸、５２ｙ…Ｙ方向検出軸、５２ｚ…Ｚ方向検出軸、７０…電子ブック、７１…バインダ、１１１〜１１４…操作ボタン。
【図１】
0005292861.tif 000002
【図２】
0005292861.tif 000003
【図３】
0005292861.tif 000004
【図４】
0005292861.tif 000005
【図５】
0005292861.tif 000006
【図６】
0005292861.tif 000007
【図７】
0005292861.tif 000008
【図８】
0005292861.tif 000009
【図９】
0005292861.tif 000010
【図１０】
0005292861.tif 000011
【図１１】
0005292861.tif 000012
【図１２】
0005292861.tif 000013
【図１３】
0005292861.tif 000014